(57)【特許請求の範囲】
【請求項１】
枠組みと、面材とを有し、
前記枠組みは、木造建築物の壁または床を構成する位置に、室内側および室外側に開口部を向けて配置され、前記開口部の周囲の室内側端面および室外側端面が互いに平行をなし、前記室内側端面または前記室外側端面の外側縁部および内側縁部から離れた中間位置に前記開口部を包囲する環状突条または環状溝を有し、
前記面材は、前記環状突条または前記環状溝と嵌合する嵌合溝または嵌合突条を有し、前記環状突条または前記環状溝との間に、固化したときに弾力性を有する熱可塑性の粘着剤を挟んで、前記嵌合溝または前記嵌合突条を前記環状突条または前記環状溝と嵌合させて前記開口部を塞いで壁または床を構成していることを、
特徴とする木造建築構造。
【請求項２】
前記枠組みは４つの角材を四角形状に角部で組み合わせて成り、結合箇所に、固化したときに弾力性を有する熱可塑性の粘着剤を挟んでいることを、特徴とする請求項１記載の木造建築構造。
【請求項３】
前記枠組みは土台と横架材と２本の柱とから成り、前記土台と前記横架材とは前記開口部に面した内側に長さ方向に沿って１本または複数本の保持溝または保持突条を有し、各柱は端部に前記保持溝または前記保持突条に対し長さ方向に沿って移動可能に嵌合する端部突条または端部溝を有し、前記保持溝または前記保持突条と前記端部突条または前記端部溝との間に、固化したときに弾力性を有する熱可塑性の粘着剤を挟んでいることを、特徴とする請求項２記載の木造建築構造。
【請求項４】
金属板を有し、前記金属板は折り曲げ可能な２つの端部を有し、前記枠組みと前記面材との間、前記土台と前記柱との間、または前記横架材と前記柱との間に、前記粘着剤に接して挟まれ、前記２つの端部をつかめるよう外部に突出させていることを、特徴とする請求項３記載の木造建築構造。
【発明の詳細な説明】
【技術分野】
【０００１】
本発明は、木造建築構造に関する。
【背景技術】
【０００２】
一般的に、木造建築構造は、柱や横架材などの端部に、ほぞやほぞ穴を加工して組み上げたり、各部材を接合金具やビスなどを用いて結合したりして形成されている（例えば、特許文献１または２参照）。
【先行技術文献】
【特許文献】
【０００３】
【特許文献１】特開２００２−２９４８８０号公報
【特許文献２】特開平１１−６２０８２号公報
【発明の概要】
【発明が解決しようとする課題】
【０００４】
しかしながら、特許文献１および２に記載のような一般的な木造軸組建築物では、リフォームや建て替え等のとき、建築部材を壊しながら取り外すため、取り外した建築部材を再利用することができず、廃材が大量に発生するという課題があった。
また、一般的な木造軸組建築物で一度使用した建築部材には、釘跡が残るため、まだ使用可能な状態としても、再利用したとき、見栄えが悪いという課題があった。
【０００５】
本発明は、このような課題に着目してなされたもので、解体や建築部材の取外しが容易で、建築部材の再利用により廃材の発生を抑えることができ、また、再利用したとき、きれいに仕上げることができる木造建築構造を提供することを目的とする。
【課題を解決するための手段】
【０００６】
上記目的を達成するために、本発明に係る木造建築構造は、枠組みと、面材とを有し、前記枠組みは、木造建築物の壁または床を構成する位置に、室内側および室外側に開口部を向けて配置され、前記開口部の周囲の室内側端面および室外側端面が互いに平行をなし、前記室内側端面または前記室外側端面の外側縁部および内側縁部から離れた中間位置に前記開口部を包囲する環状突条または環状溝を有し、前記面材は、前記環状突条または前記環状溝と嵌合する嵌合溝または嵌合突条を有し、前記環状突条または前記環状溝との間に、固化したときに弾力性を有する熱可塑性の粘着剤を挟んで、前記嵌合溝または前記嵌合突条を前記環状突条または前記環状溝と嵌合させて前記開口部を塞いで壁または床を構成していることを、特徴とする。
【０００７】
本発明に係る木造建築構造は、枠組みと面材とを熱可塑性の粘着剤で熱融着により結合するため、接合金具やビス等の使用を減らすことができ、施工が容易で、工期を短縮することができる。また、面材を取り外すとき、固化した熱可塑性の粘着剤を専用のドライヤーやアイロン等で加熱することにより、面材および枠組みを壊すことなく容易に取り外すことができる。このため、リフォームや建て替え等のとき、面材を取り外して再利用することができ、廃材の発生を抑えることができる。このように、粘着剤を加熱して融解したり常温で固化させたりすることにより、面材の取外し、取付けを容易に行うことができるので、リフォームや建て替えが容易となる。熱可塑性の粘着剤を環状突条または環状溝と嵌合溝または嵌合突条との間に開口部を包囲するよう環状に設けた場合には、枠組みと面材との嵌合箇所で気密性を保つことができる。
【０００８】
また、粘着剤が固化するまでの間、面材を動かすことができるため、面材の取付け位置の調整が容易である。さらに、釘で固定した場合と異なり、面材の表面に釘跡が残らず、きれいに仕上げることができる。
固化したときに弾力性を有する粘着剤を使用するため、粘着剤が固化したとき、粘着剤が緩衝材となって面材と枠組みとの間を振動が伝わりにくく、免震効果が高い。熱可塑性の粘着剤は、ホットメルト粘着剤等のゴム系の粘着剤から成ることが好ましい。面材と枠組みとの間の隙間を粘着剤で埋めることにより、気密性や防水性、断熱性、防音性を高めることができる。同時に、面材または枠組みの裂け目や亀裂などに粘着剤を注入することにより、面材または枠組みを補強することもできる。
【０００９】
本発明に係る木造建築構造において、前記枠組みは４つの角材を四角形状に角部で組み合わせて成り、結合箇所に、固化したときに弾力性を有する熱可塑性の粘着剤を挟んでいることが好ましい。
この構成では、粘着剤が固化するまでの間、枠組みを動かすことができるため、枠組みの取付け位置の調整が容易である。さらに、釘で固定した場合と異なり、枠組みの表面に釘跡が残らず、きれいに仕上げることができる。粘着剤を加熱して融解したり常温で固化させたりすることにより、枠組みを角材に解体したり再構築したり、容易に行うことができるので、リフォームや建て替えが容易となる。また、固化したときに弾力性を有する粘着剤を使用するため、粘着剤が固化したとき、粘着剤が緩衝材となって枠組みを振動が伝わりにくく、免震効果が高い。粘着剤により枠組みのガタツキを抑制することもできる。なお、角材は平板状であっても、角柱状であってもよい。
【００１０】
本発明に係る木造建築構造において、前記枠組みは土台と横架材と２本の柱とから成り、前記土台と前記横架材とは前記開口部に面した内側に長さ方向に沿って１本または複数本の保持溝または保持突条を有し、各柱は端部に前記保持溝または前記保持突条に対し長さ方向に沿って移動可能に嵌合する端部突条または端部溝を有し、前記保持溝または前記保持突条と前記端部突条または前記端部溝との間に、固化したときに弾力性を有する熱可塑性の粘着剤を挟んでいてもよい。
【００１１】
この構成では、土台および横架材に対し、柱を土台および横架材の端部からずらして後付けすることができる。また、柱を土台の上に載せた後に横架材を柱の上に載せるようにしてもよい。粘着剤が固化するまでの間、柱または横架材を動かすことができるため、柱または横架材の取付け位置の調整が容易である。さらに、釘で固定した場合と異なり、枠組みの表面に釘跡が残らず、きれいに仕上げることができる。また、固化したときに弾力性を有する粘着剤を使用するため、粘着剤が固化したとき、粘着剤が緩衝材となって柱と土台または横架材との間を振動が伝わりにくく、免震効果が高い。粘着剤により柱と土台または横架材との間のガタツキを抑制することもできる。
【００１２】
本発明に係る木造建築構造において、金属板を有し、前記金属板は折り曲げ可能な２つの端部を有し、前記枠組みと前記面材との間、前記土台と前記柱との間、または前記横架材と前記柱との間に、前記粘着剤に接して挟まれ、前記２つの端部をつかめるよう外部に突出させていてもよい。
この構成では、金属板の外部に突出した端部を専用のドライヤーやアイロン等で加熱することにより、金属板から粘着剤に熱を伝導させ、面材および枠組みを壊すことなく、面材、横架材などを容易に取り外すことができる。また、金属板の外部に突出した端部をつかみやすいよう折り曲げ、つかんで引っ張ることにより、面材、横架材などを容易に取り外すことができる。なお、金属板の外部に突出した端部は、解体のとき以外は土台、柱、横架材等に沿わせておくことにより、邪魔にならない。突出した端部は、互いに反対面にそれぞれ固定部を有していてもよい。この場合、金属板により、枠組みと面材、土台と柱、または横架材と柱などの結合力を高めることができる。固定部は、枠組みと面材、土台と柱、または横架材と柱にそれぞれ貼付可能な前記粘着剤から成ることが好ましい。
【発明の効果】
【００１３】
本発明によれば、解体や建築部材の取外しが容易で、建築部材の再利用により廃材の発生を抑えることができ、また、再利用したとき、きれいに仕上げることができる木造建築構造を提供することができる。
【図面の簡単な説明】
【００１４】
【図１】本発明の実施の形態の木造建築構造を示す斜視図である。
【図２】本発明の他の実施の形態の木造建築構造で用いられる枠組みを示す斜視図である。
【図３】本発明の他の実施の形態の木造建築構造で用いられる金属板を示す断面図である。
【図４】本発明のさらに他の実施の形態の木造建築構造で用いられる枠組みを示す正面図である。
【図５】図４の要部を示す拡大斜視図である。
【発明を実施するための形態】
【００１５】
以下、図面に基づき、本発明の各種実施の形態について説明する。
図１は、本発明の実施の形態の木造建築構造を示している。
図１に示す木造建築構造は、枠組み１０と、面材２０とを有している。枠組み１０は４つの平板状の角材１１，１２，１３，１４を四角形状に角部で組み合わせて成り、結合箇所に、固化したときに弾力性を有する熱可塑性の粘着剤３０を挟んで成っている。粘着剤３０は、グルーガンなどを用い、施工現場で溶解させて付着させることができる。各角材１１，１２，１３，１４は、隣り合う角材と角部で互いに噛み合う凹凸により組み合わせられている。
【００１６】
枠組み１０は、木造建築物の壁を構成する位置に、室内側および室外側に開口部１５を向けて配置される。枠組み１０は、開口部１５の周囲の室内側端面１６および室外側端面が互いに平行をなし、室内側端面１６または室外側端面の外側縁部１７および内側縁部１８から離れた中間位置に開口部１５を包囲する環状突条１９を有している。面材２０は、四角形状の平板から成る。面材２０は、環状突条１９と嵌合する嵌合溝２１を平面に有している。面材２０は、環状突条１９との間に、固化したときに弾力性を有する熱可塑性の粘着剤３０を挟んで、嵌合溝２１を環状突条１９と嵌合させて開口部１５を塞いで壁を構成している。熱可塑性の粘着剤３０には、例えば、ブチルゴム系のホットメルト粘着剤を用いることができる。粘着剤３０は、四角形の環状突条１９の角部に付着させても、全体に付着させてもよい。なお、枠組み１０は環状突条１９の代わりに環状溝を有し、面材２０は嵌合溝２１の代わりに嵌合突条を有していてもよい。また、面材２０は、壁の代わりに床を構成してもよい。
【００１７】
図１に示す木造建築構造は、枠組み１０と面材２０とを熱可塑性の粘着剤３０で熱融着により結合するため、接合金具やビス等の使用を減らすことができ、施工が容易で、工期を短縮することができる。また、面材２０を取り外すとき、固化した熱可塑性の粘着剤３０を専用のドライヤーやアイロン等で加熱することにより、面材２０および枠組み１０を壊すことなく容易に取り外すことができる。このため、リフォームや建て替え等のとき、面材２０を取り外して再利用することができ、廃材の発生を抑えることができる。このように、粘着剤３０を現場で加熱して融解したり常温で固化させたりすることにより、面材２０の取外し、取付けを容易に行うことができるので、リフォームや建て替えが容易となる。熱可塑性の粘着剤３０を環状突条１９と嵌合溝２１との間に開口部１５を包囲するよう環状に設けた場合には、枠組み１０と面材２０との嵌合箇所で気密性を保つことができる。
【００１８】
また、粘着剤３０が固化するまでの間、面材２０を動かすことができるため、面材２０の取付け位置の調整が容易である。さらに、釘で固定した場合と異なり、面材２０の表面に釘跡が残らず、きれいに仕上げることができる。
固化したときに弾力性を有する粘着剤３０を使用するため、粘着剤３０が固化したとき、粘着剤３０が緩衝材となって面材２０と枠組み１０との間を振動が伝わりにくく、免震効果が高い。面材２０と枠組み１０との間の隙間を粘着剤３０で埋めることにより、気密性や防水性、断熱性、防音性を高めることができる。同時に、面材２０または枠組み１０の裂け目や亀裂などに粘着剤３０を注入することにより、面材２０または枠組み１０を補強することもできる。
【００１９】
枠組み１０は４つの角材１１，１２，１３，１４を四角形状に角部で組み合わせ、結合箇所に粘着剤３０を挟んでいるため、粘着剤３０が固化するまでの間、枠組み１０を動かすことができ、枠組み１０の取付け位置の調整が容易である。さらに、釘で固定した場合と異なり、枠組み１０の表面に釘跡が残らず、きれいに仕上げることができる。粘着剤３０を加熱して融解したり常温で固化させたりすることにより、枠組み１０を角材１１，１２，１３，１４に解体したり再構築したり、容易に行うことができるので、リフォームや建て替えが容易となる。また、固化したときに弾力性を有する粘着剤３０を使用するため、粘着剤３０が固化したとき、粘着剤３０が緩衝材となって枠組み１０を振動が伝わりにくく、免震効果が高い。粘着剤３０により枠組み１０のガタツキを抑制することもできる。
【００２０】
図２は、本発明の他の実施の形態の木造建築構造で用いられる枠組み４０を示している。
図２の枠組み４０は土台４１と横架材４２と２本の柱４３，４４とから成っている。土台４１と横架材４２とは開口部４５に面した内側に長さ方向に沿って複数本の保持溝４６を有している。各柱４３，４４は保持溝４６に対し長さ方向に沿って移動可能に嵌合する端部突条４７を有し、保持溝４６と端部突条４７との間に、固化したときに弾力性を有する熱可塑性の粘着剤を挟んでいる。粘着剤は、グルーガンなどを用い、施工現場で溶解させて付着させることができる。各柱４３，４４は、突出部４８で土台４１および横架材４２の室内側端面４９または室外側端面の一部を覆っている。枠組み４０は、図１に示す枠組み１０と同様に、木造建築物の壁または床を構成する位置に、室内側および室外側に開口部４５を向けて配置される。枠組み４０は、開口部４５の周囲の室内側端面４９および室外側端面が互いに平行をなし、室内側端面４９または室外側端面の外側縁部および内側縁部から離れた中間位置に開口部４５を包囲する環状突条または環状溝を有している。枠組み４０には、図１に示す枠組み１０と同様に、面材２０が嵌合される。
【００２１】
図２に示す枠組み４０は、土台４１および横架材４２に対し、柱４３，４４を土台４１および横架材４２の端部からずらして後付けすることができる。また、柱４３，４４を土台４１の上に載せた後に横架材４２を柱４３，４４の上に載せるようにしてもよい。粘着剤が固化するまでの間、柱４３，４４または横架材４２を動かすことができるため、柱４３，４４または横架材４２の取付け位置の調整が容易である。さらに、釘で固定した場合と異なり、枠組み４０の表面に釘跡が残らず、きれいに仕上げることができる。また、固化したときに弾力性を有する粘着剤を使用するため、粘着剤が固化したとき、粘着剤が緩衝材となって柱４３，４４と土台４１または横架材４２との間を振動が伝わりにくく、免震効果が高い。粘着剤により柱４３，４４と土台４１または横架材４２との間のガタツキを抑制することもできる。
【００２２】
図３は、本発明の他の実施の形態の木造建築構造で用いられる金属板５０を示している。
図３に示す金属板５０は人力で折り曲げ可能な２つの端部５１，５２を有し、図２に示す枠組み４０の土台４１と柱４３，４４との間および横架材４２と柱４３，４４との間に挟まれて設けられている。金属板５０は、土台４１と柱４３，４４との間および横架材４２と柱４３，４４との間の粘着剤３０に接しており、２つの端部５１，５２をつかめるよう外部に突出させている。通常、端部５１は柱４３，４４の側面に沿わせてあり、端部５２は土台４１の側面に沿わせてある。このため、端部５１，５２は、邪魔にならない。
【００２３】
図３に示す金属板５０の外部に突出した端部５１，５２を専用のドライヤーやアイロン等で加熱することにより、金属板５０から粘着剤３０に熱を伝導させ、枠組み４０を壊すことなく、柱４３，４４や横架材４２などを容易に取り外すことができる。また、金属板５０の外部に突出した端部５１，５２を２点鎖線で示すようにつかみやすいよう折り曲げ、つかんで引っ張ることにより、柱４３，４４や横架材４２などを容易に取り外すことができる。なお、端部５１は柱４３，４４の側面に面する側に、端部５２は土台４１の側面に面する側に、粘着剤３０が付着してあってもよい。この場合、金属板５０により、土台４１と柱４３，４４との間および横架材４２と柱４３，４４との間の結合力を高めることができる。金属板５０は、図１に示す枠組み１０と面材２０との間に設けられていてもよい。
【００２４】
図４および図５は、本発明の他の実施の形態の木造建築構造で用いられる枠組み６０を示している。
図４の枠組み６０は土台６１と横架材６２と２本の柱６３，６３とから成っている。土台６１と横架材６２とは開口部１５に面した内側に長さ方向に沿って１本の保持突条６５を有している。図５に示すように、各柱６３は、両端部に十字状の端部溝６４を有している。端部溝６４は、保持突条６５に対し長さ方向に沿って移動可能に嵌合している。保持突条６５と端部溝６４との間に、固化したときに弾力性を有する熱可塑性の粘着剤を挟んでいる。粘着剤は、グルーガンなどを用い、施工現場で溶解させて付着させることができる。土台６１および横架材６２の端部には、柱６３の側面と結合するよう羽柄材６６が設けられている。各柱６３の両端には柱６３の延長方向に伸びるよう接合ピン６７がピン６８で固定され、土台６１および横架材６２の側面から接合ピン６７を貫通して固定するピン６９により、各柱６３は土台６１および横架材６２に固定されている。枠組み６０は、図１に示す枠組み１０と同様に、木造建築物の壁または床を構成する位置に、室内側および室外側に開口部を向けて配置される。枠組み６０は、図１に示す枠組み１０と同様に、開口部の周囲の室内側端面および室外側端面が互いに平行をなし、室内側端面または室外側端面の外側縁部および内側縁部から離れた中間位置に開口部を包囲する環状突条または環状溝を有している。枠組み６０には、図１に示す枠組み６０と同様に、面材２０が嵌合される。
【００２５】
図４に示す枠組み６０は、土台６１および横架材６２に対し、柱６３を土台６１および横架材６２の端部からずらして後付けすることができる。また、柱６３を土台６１の上に載せた後に横架材６２を柱６３の上に載せるようにしてもよい。粘着剤３０が固化するまでの間、柱６３または横架材６２を動かすことができるため、柱６３または横架材６２の取付け位置の調整が容易である。さらに、釘で固定した場合と異なり、枠組み６０の表面に釘跡が残らず、きれいに仕上げることができる。また、固化したときに弾力性を有する粘着剤を使用するため、粘着剤が固化したとき、粘着剤が緩衝材となって柱６３と土台６１または横架材６２との間を振動が伝わりにくく、免震効果が高い。粘着剤により柱６３と土台６１または横架材６２との間のガタツキを抑制することもできる。図４に示す枠組み６０にも、図３に示す金属板５０を土台６１と柱６３との間および横架材６２と柱６３との間に挟んで設けてもよい。
【符号の説明】
【００２６】
１０，４０，６０  枠組み
１１，１２，１３，１４  角材
１５  開口部
１６  室内側端面
１７  外側縁部
１８  内側縁部
１９  環状突条
２０  面材
２１  嵌合溝
３０  粘着剤
４１，６１  土台
４２，６２  横架材
４３，４４，６３  柱
４６  保持溝
４７  端部突条
５０  金属板
６４  端部溝
６５  保持突条
【図１】
0005427691.tif 000002
【図２】
0005427691.tif 000003
【図３】
0005427691.tif 000004
【図４】
0005427691.tif 000005
【図５】
0005427691.tif 000006